(57)【要約】      （修正有）【課題】収納時及び使用時のいずれにおいても、差込プラグの扱いを簡単にすることができるコードリールを提供する。【解決手段】コードリール１は、ケース２、ケースに対して回転可能なドラム部３、ドラム部の軸方向端部に連結された回転パネル部、及びドラム部の外周に巻き付けられた収納状態５０１でケース内に収納可能な電気ケーブル５を備える。ケースの側面部２４におけるケーブル用開口穴２３１の下方位置であってドラム部の斜め下方位置には、収納状態にある電気ケーブルの差込プラグ５１が差し込まれて保持される保持凹部２８Ａが形成されている。【選択図】図３
0003230261.tif 000002
【実用新案登録請求の範囲】
【請求項１】
樹脂製のケースと、
前記ケースに対して回転可能な状態で前記ケース内に収納された樹脂製のドラム部と、
前記ドラム部の軸方向端部に連結されるとともに、前記ケースの正面部に形成された円形開口穴に回転可能に配置され、かつ外部へ電力供給可能なコンセント部が設けられた樹脂製の回転パネル部と、
基端部が前記コンセント部に接続されるとともに、先端部に差込プラグが設けられ、前記ドラム部の外周に巻き付けられた収納状態で前記ケース内に収納可能であり、かつ前記ケースの上側角部に形成されたケーブル用開口穴を介して引き出し可能な電気ケーブルと、を備え、
前記ケースの側面部における前記ケーブル用開口穴の下方位置であって前記ドラム部の斜め下方位置には、前記収納状態にある前記電気ケーブルの前記差込プラグが保持される保持凹部が形成されている、コードリール。
【請求項２】
前記保持凹部は、前記ケースの正面部と、前記ケースの背面部と、前記ドラム部の径方向外方において前記正面部及び前記背面部に繋がる周壁部と、前記周壁部及び前記ケースの側面部に繋がるとともに前記正面部及び前記背面部に繋がる保持壁部とに囲まれて形成されており、
前記保持壁部には、前記差込プラグの導体部が斜め上方から差し込まれる差込穴が形成されている、請求項１に記載のコードリール。
【請求項３】
前記ケースの側面部における、前記ケーブル用開口穴と前記保持凹部との間の中間位置には、前記ケーブル用開口穴を介して引き出された前記電気ケーブルの先端側部分を挟み込む一対の挟持突起が形成されており、
前記収納状態にある前記電気ケーブルの先端側部分が一対の前記挟持突起の間に挟み込まれた状態において、前記差込プラグの導体部が前記差込穴に差し込まれている、請求項２に記載のコードリール。
【請求項４】
前記ケースにおける、前記ケーブル用開口穴が形成された側面部の反対側に位置する側面部の下方位置であって前記ドラム部の斜め下方位置には、前記コンセント部に差し込まれる電気製品の差込プラグに装着する防水プラグカバーが保持されるカバー保持凹部が形成されている、請求項１〜３のいずれか１項に記載のコードリール。
【考案の詳細な説明】
【技術分野】
【０００１】
本考案は、コードリールに関する。
【背景技術】
【０００２】
屋外用のコードリールは、商用電源等に接続される電気ケーブルを、フレームに回転可能に支持されたドラムに巻き取るよう構成されている。コードリールを使用するときには、ドラムから電気ケーブルを引き出し、電気ケーブルの先端部に設けられた差込プラグを商用電源等のコンセント口に差し込む。そして、ドラムに設けられたコンセント口から、種々の電気製品等に電力を供給することができる。
【０００３】
また、屋内用のケーブル巻取器等においては、電気ケーブルが巻き取られるドラムを、金属製のフレームに支持するのではなく、樹脂製のケース内に収納することも行われている。例えば、特許文献１の電気コード巻き取り装置においては、外ケース内に内ケースを回転自在に収納配置し、内ケースに電気コードのプラグを保持する保持部を設けることが記載されている。また、内ケースには、電気コードが巻回される電気コード保持部も設けることが記載されている。
【先行技術文献】
【特許文献】
【０００４】
【特許文献１】実用新案登録第３０２４０６１号公報
【考案の概要】
【考案が解決しようとする課題】
【０００５】
特許文献１の電気コード巻き取り装置においては、電気コード及びプラグをコンパクトに収納することはできる。しかし、電気コードの収納時において、プラグを内ケースの保持部に保持し、内ケースの電気コードを電気コード保持部に保持しようとするときには、外ケースを２つに分割して、保持部及び電気コード保持部を開放する必要がある。また、電気コードの使用時（引出時）において、プラグを保持部から外し、電気コードを電気コード保持部から外そうとするときにも、外ケースを２つに分割して、保持部及び電気コード保持部を開放する必要がある。
【０００６】
これらの理由より、特許文献１の電気コード巻き取り装置においては、電気コードの収納時及び使用時のいずれにおいても、電気コードのプラグの扱いが簡単ではない。従って、主に屋外用に使用されるコードリールにおいて、電気ケーブルの差込プラグの扱いを簡単にするためには、更なる工夫が必要とされる。
【０００７】
本考案は、かかる課題に鑑みてなされたもので、収納時及び使用時のいずれにおいても、差込プラグの扱いを簡単にすることができるコードリールを提供しようとするものである。
【課題を解決するための手段】
【０００８】
本考案の一態様は、
樹脂製のケースと、
前記ケースに対して回転可能な状態で前記ケース内に収納された樹脂製のドラム部と、
前記ドラム部の軸方向端部に連結されるとともに、前記ケースの正面部に形成された円形開口穴に回転可能に配置され、かつ外部へ電力供給可能なコンセント部が設けられた樹脂製の回転パネル部と、
基端部が前記コンセント部に接続されるとともに、先端部に差込プラグが設けられ、前記ドラム部の外周に巻き付けられた収納状態で前記ケース内に収納可能であり、かつ前記ケースの上側角部に形成されたケーブル用開口穴を介して引き出し可能な電気ケーブルと、を備え、
前記ケースの側面部における前記ケーブル用開口穴の下方位置であって前記ドラム部の斜め下方位置には、前記収納状態にある前記電気ケーブルの前記差込プラグが保持される保持凹部が形成されている、コードリールにある。
【考案の効果】
【０００９】
前記一態様のコードリールは、主に屋外用に使用されるものであって、金属製のフレームを用いる代わりに、樹脂製のケースを用いたものである。また、電気ケーブルを収納するためのケース、ドラム部及び回転パネル部は、いずれも樹脂によって構成されている。
【００１０】
前記一態様のコードリールにおいては、電気ケーブル以外の主要部品が樹脂によって構成されたコードリールについて、電気ケーブルの差込プラグの保持の仕方に工夫をしている。具体的には、ケースの側面部におけるケーブル用開口穴の下方位置であってドラム部の斜め下方位置には、差込プラグの保持凹部が形成されている。
【００１１】
コードリールの収納時においては、回転パネル部及びドラム部を回転させ、ドラム部の外周に電気ケーブルを巻き付けて、電気ケーブルを収納状態にする。このとき、電気ケーブルの差込プラグが、ケーブル用開口穴から引き出された電気ケーブルの先端側部分とともにケースの外側に配置される。そして、電気ケーブルの差込プラグを、ケースの外側から保持凹部内に保持させることができる。そのため、コードリールの収納時において、電気ケーブルの差込プラグの扱いを簡単にすることができる。
【００１２】
また、コードリールの使用時においては、保持凹部内に保持された、電気ケーブルの差込プラグを、保持凹部から簡単に取り出すことができる。それ故、前記一態様のコードリールによれば、コードリールの収納時及び使用時のいずれにおいても、差込プラグの扱いを簡単にすることができる。
【図面の簡単な説明】
【００１３】
【図１】図１は、実施形態にかかる、コードリールを示す正面図である。
【図２】図２は、実施形態にかかる、コードリールを示す、一方側の側面図である。
【図３】図３は、実施形態にかかる、コードリールを示す、図２のIII−III断面図である。
【図４】図４は、実施形態にかかる、コードリールを示す、図１のIV−IV断面図である。
【図５】図５は、実施形態にかかる、コードリールを示す、図１のV−V断面図である。
【図６】図６は、実施形態にかかる、コードリールを示す、他方側の側面図である。
【考案を実施するための形態】
【００１４】
前述したコードリールにかかる好ましい実施形態について、図面を参照して説明する。
＜実施形態＞
本形態のコードリール１は、図１〜図５に示すように、ケース２、ドラム部３、回転パネル部４及び電気ケーブル５を備える。ケース２は、樹脂製のものである。ドラム部３は、樹脂製のものであり、ケース２に対して回転可能な状態でケース２内に収納されている。回転パネル部４は、樹脂製のものであり、ドラム部３の軸方向端部に連結されている。回転パネル部４は、ケース２の正面部２１に形成された円形開口穴２１１に回転可能に配置されており、外部へ電力供給可能なコンセント部４１を有する。
【００１５】
図２〜図４に示すように、電気ケーブル５は、ドラム部３の外周に巻き付けられた収納状態５０１でケース２内に収納可能であり、かつケース２の上側角部に形成されたケーブル用開口穴２３１を介して引き出し可能である。電気ケーブル５の基端部は、コンセント部４１に接続されており、電気ケーブル５の先端部には、差込プラグ５１が設けられている。
【００１６】
図２及び図３に示すように、ケース２の側面部２４におけるケーブル用開口穴２３１の下方位置であってドラム部３の斜め下方位置には、収納状態５０１にある電気ケーブル５の差込プラグ５１が差し込まれて保持される保持凹部２８Ａが形成されている。
【００１７】
以下に、本形態のコードリール１について詳説する。
コードリール１は、商用電源、発電機等の電源と、電源による電力を消費する各種電気製品等とを接続するために使用される。コードリール１は、屋外用のものであり、電気ケーブル５及び差込プラグ５１は屋外にて使用可能な防水性を有するものである。コードリール１は、電気ケーブル５を除く部品のほぼ全体が熱可塑性樹脂等の樹脂によって構成されたものであり、小型化及び軽量化を図り、扱いやすくしたものである。電気ケーブル５の長さは、一般的な金属製のコードリールに比べて短くしている。
【００１８】
（上下方向Ｈ、幅方向Ｗ、奥行方向Ｄ）
図１〜図６に示すように、コードリール１は、電気ケーブル５が巻き付けられるドラム部３の軸方向が水平方向に向けられたものである。コードリール１においては、鉛直方向に平行な方向を上下方向Ｈといい、ドラム部３の軸方向に平行な方向を奥行方向Ｄといい、上下方向Ｈ及び奥行方向Ｄの双方に直交する方向を幅方向Ｗという。
【００１９】
（ケース２）
図２〜図４に示すように、ケース２は、奥行方向Ｄの中間位置において、器状の第１ケース部２Ａと器状の第２ケース部２Ｂとに分割されている。ケース２は、ドラム部３、回転パネル部４及び後述する回転板部３２を間に挟んで、第１ケース部２Ａと第２ケース部２Ｂとが組み付けられて形成されている。第１ケース部２Ａ及び第２ケース部２Ｂによるケース２内には、ドラム部３及び電気ケーブル５を収納する収納部２０が形成されている。第１ケース部２Ａ及び第２ケース部２Ｂは、熱可塑性樹脂の成形品によって構成されている。
【００２０】
図２及び図３に示すように、ケース２は、円形開口穴２１１が形成された正面部２１と、正面部２１の反対側に位置する背面部２２と、正面部２１及び背面部２２の上側部分を繋ぐ上面部２３と、正面部２１及び背面部２２の側部を繋ぐ一対の側面部２４と、正面部２１及び背面部２２の下部を繋ぐ下面部２５とを有する。上面部２３、一対の側面部２４及び下面部２５は、第１ケース部２Ａと第２ケース部２Ｂとに分割された状態で形成されている。ケーブル用開口穴２３１は、幅方向Ｗの一方側に位置する側面部２４に形成されている。
【００２１】
（ドラム部３）
図４及び図５に示すように、ドラム部３は、電気ケーブル５を外周に巻き付けるための円筒部３１を有する。ドラム部３の、回転パネル部４が連結された軸方向端部とは反対側に位置する軸方向端部には、樹脂製の回転板部３２が連結されている。ドラム部３には、電気ケーブル５の基端部を、回転パネル部４のコンセント部４１に接続するための経路が形成されている。ドラム部３は、熱可塑性樹脂の成形品によって構成されている。図５においては、電気ケーブル５を省略して示す。
【００２２】
（回転パネル部４）
図１、図４及び図５に示すように、回転パネル部４は、電気ケーブル５を巻き取るために回転操作可能である。回転パネル部４の正面には、外部の電気製品等の差込プラグを差し込んで、外部の電気製品等へ電力を供給するためのコンセント部４１が複数設けられている。回転パネル部４の正面における中心から外周側にずれた位置には、回転パネル部４、ドラム部３及び回転板部３２の全体を回転させるための回転ノブ４２が取り付けられている。回転パネル部４は、熱可塑性樹脂の成形品によって構成されている。
【００２３】
コンセント部４１は、外部の電気製品等の差込プラグの導体部が差し込まれる差込口４１１を有する。コンセント部４１には、差込口４１１を覆うキャップ４１２が開閉可能に設けられている。
【００２４】
（電気ケーブル５）
図２及び図３に示すように、電気ケーブル５は、２芯又は３芯の導線部と、導線部を覆う被覆部とによって構成されている。電気ケーブル５の基端部は、複数のコンセント部４１に分岐して接続されている。電気ケーブル５の差込プラグ５１は、電気ケーブル５がケース２及びドラム部３からケーブル用開口穴２３１を介して引き出された状態において、商用電源又は発電機のコンセント口に差し込まれる。そして、電気ケーブル５は、商用電源又は発電機の電力を中継して、コンセント部４１に接続された電気製品へ電力を供給可能である。
【００２５】
（保持凹部２８Ａ）
図３に示すように、保持凹部２８Ａは、コードリール１の下側角部において、差込プラグ５１の大半が収納されるスペースとして形成されている。保持凹部２８Ａは、ケース２の正面部２１と、ケース２の背面部２２と、ドラム部３の径方向外方において正面部２１及び背面部２２に繋がる一方側周壁部２６Ａと、一方側周壁部２６Ａ及びケース２の一方側の側面部２４に繋がるとともに正面部２１及び背面部２２に繋がる保持壁部２７Ａとに囲まれて形成されている。保持壁部２７Ａは、ケース２の下面部２５に対して、幅方向Ｗに傾斜して形成されている。保持凹部２８Ａは、一方側周壁部２６Ａによって、ケース２の収納部２０と区画されている。
【００２６】
一方側周壁部２６Ａは、ケース２の幅方向Ｗの一方側であってケーブル用開口穴２３１の下方に形成されている。他方側周壁部２６Ｂは、ケース２の幅方向Ｗの他方側に形成されている。一方側周壁部２６Ａの一部及び他方側周壁部２６Ｂの一部は、ドラム部３の中心軸線を中心とする円弧形状に形成されている。収納部２０は、一方側周壁部２６Ａと他方側周壁部２６Ｂとの間のスペースとして形成されている。
【００２７】
保持壁部２７Ａには、差込プラグ５１の導体部５１１が斜め上方から差し込まれる差込穴２７１が形成されている。導体部５１１は、一対の平行な導体板によって構成されており、差込穴２７１は、一対の導体板が差し込まれる形状に形成されている。差込穴２７１の縁部には、導体部５１１の差し込みを案内する案内片２７２が形成されている。
【００２８】
（挟持突起２４１）
図１〜図３及び図５に示すように、ケース２の側面部２４における、ケーブル用開口穴２３１と保持凹部２８Ａとの間の上下方向Ｈの中間位置には、ケーブル用開口穴２３１を介して引き出された電気ケーブル５の先端側部分５０を挟み込む一対の挟持突起２４１が形成されている。一対の挟持突起２４１は、ケース２の幅方向Ｗの一方側に位置する側面部２４から突出して、上下方向Ｈに沿った長尺形状に形成されている。差込プラグ５１の導体部５１１は、収納状態５０１にある電気ケーブル５の先端側部分５０が一対の挟持突起２４１の間に挟み込まれた状態において、保持凹部２８Ａ内の保持壁部２７Ａの差込穴２７１に差し込まれている。
【００２９】
（カバー保持凹部２８Ｂ）
図３及び図６に示すように、ケース２における、保持凹部２８Ａが形成された下側角部とは幅方向Ｗの反対側に位置する下側角部には、カバー保持凹部２８Ｂが形成されている。カバー保持凹部２８Ｂは、ケーブル用開口穴２３１が形成された、幅方向Ｗの一方側に位置する側面部２４の反対側に位置する、幅方向Ｗの他方側の側面部２４の下方位置であって、ドラム部３の斜め下方位置に形成されている。カバー保持凹部２８Ｂには、コンセント部４１に差し込まれる電気製品の差込プラグに装着する防水プラグカバー５２が保持されている。防水プラグカバー５２は、屋内仕様の差込プラグの外周に装着して、屋内仕様の差込プラグの防水性を高めるものであり、屋内仕様の差込プラグに屋外仕様の差込プラグと同等の防水性を付与するものである。
【００３０】
カバー保持凹部２８Ｂは、コードリール１の下側角部において、防水プラグカバー５２が収納されるスペースとして形成されている。カバー保持凹部２８Ｂは、正面部２１と、背面部２２と、他方側周壁部２６Ｂと、カバー保持壁部２７Ｂとに囲まれて形成されている。カバー保持壁部２７Ｂは、他方側周壁部２６Ｂ、及びケース２の幅方向Ｗの他方側の側面部２４に繋がるとともに、正面部２１及び背面部２２に繋がっている。カバー保持壁部２７Ｂは、ケース２の下面部２５に対して、幅方向Ｗに傾斜して形成されている。カバー保持壁部２７Ｂには、防水プラグカバー５２が斜め上方から差し込まれるカバー保持穴２７３が形成されている。カバー保持凹部２８Ｂは、他方側周壁部２６Ｂによって、ケース２の収納部２０と区画されている。
【００３１】
（把持部２９）
図３及び図６に示すように、コードリール１における、ケーブル用開口穴２３１が形成された上側角部とは幅方向Ｗの反対側に位置する上側角部には、作業者がコードリール１を持ち運ぶときに把持する把持部２９が設けられている。把持部２９は、ケース２の幅方向Ｗの他方側に位置する上側角部において、ケース２の正面部２１及び背面部２２を繋ぐ状態で形成されている。
【００３２】
（作用効果）
本形態のコードリール１は、主に屋外用に使用されるものであって、金属製のフレームを用いる代わりに、樹脂製のケース２を用いたものである。また、電気ケーブル５を収納するためのケース２、ドラム部３及び回転パネル部４は、いずれも樹脂によって構成されている。
【００３３】
本形態のコードリール１においては、電気ケーブル５以外の主要部品が樹脂によって構成されたコードリール１について、電気ケーブル５の差込プラグ５１の保持の仕方に工夫をしている。具体的には、ケース２の一方側の側面部２４におけるケーブル用開口穴２３１の下方位置であって、ドラム部３の斜め下方位置には、差込プラグ５１の保持凹部２８Ａが形成されている。
【００３４】
コードリール１の収納時においては、作業者は回転ノブ４２を把持して回転パネル部４、ドラム部３及び回転板部３２を回転させ、ドラム部３の円筒部３１の外周に電気ケーブル５を巻き付けて、電気ケーブル５を収納状態５０１にする。このとき、電気ケーブル５の差込プラグ５１が、ケーブル用開口穴２３１から引き出された電気ケーブル５の先端側部分５０とともにケース２の外側に配置される。そして、電気ケーブル５の差込プラグ５１の導体部５１１を、ケース２の外側から保持凹部２８Ａ内の保持壁部２７Ａの差込穴２７１に差し込むことができる。そのため、コードリール１の収納時において、電気ケーブル５の差込プラグ５１の扱いを簡単にすることができる。
【００３５】
また、コードリール１の使用時においては、保持壁部２７Ａの差込穴２７１に保持された、電気ケーブル５の差込プラグ５１を、保持凹部２８Ａから簡単に取り出すことができる。それ故、本形態のコードリール１によれば、コードリール１の収納時及び使用時のいずれにおいても、差込プラグ５１の扱いを簡単にすることができる。
【００３６】
本考案は、実施形態のみに限定されるものではなく、その要旨を逸脱しない範囲においてさらに異なる実施形態を構成することが可能である。また、本考案は、様々な変形例、均等範囲内の変形例等を含む。
【符号の説明】
【００３７】
１  コードリール
２  ケース
２１  正面部
２１１  円形開口穴
２２  背面部
２３１  ケーブル用開口穴
２４  側面部
２４１  挟持突起
２６Ａ，２６Ｂ  周壁部
２７Ａ  保持壁部
２７１  差込穴
２８Ａ  保持凹部
２８Ｂ  カバー保持凹部
３  ドラム部
４  回転パネル部
４１  コンセント部
５  電気ケーブル
５１  差込プラグ
５２  防水プラグカバー
【図１】
0003230261.tif 000003
【図２】
0003230261.tif 000004
【図３】
0003230261.tif 000005
【図４】
0003230261.tif 000006
【図５】
0003230261.tif 000007
【図６】
0003230261.tif 000008